(57)【要約】【課題】デフラグされた映像音声情報を、再生時においてエラーの生じにくい、極めて信頼性の高い情報とする。【解決手段】光ディスク２１に記録された映像音声情報を情報記録媒体６に転送する転送制御手段１２と、転送制御手段１２が情報記録媒体６に転送した映像音声情報を、所定の順序でもって、空きエリアを生じさせることなく光ディスク２１に記録するデフラグ手段１３とを備えた構成において、記録された映像音声情報の全てが情報記録媒体に転送された光ディスク２１のフォーマットを行うフォーマット手段１４を備えるとともに、デフラグ手段１３が映像音声情報を記録する光ディスク２１を、フォーマット手段１４によってフォーマットされた光ディスク２１としている。【選択図】  図１
2006302404.tif 000002
【特許請求の範囲】
【請求項１】
商用放送を受信して得られた映像音声情報を出力するチューナ部と、
ＤＶＤを対象として映像音声情報の記録と再生とを行うディスクドライブと、
映像音声情報の記録と再生とを行うハードディスクドライブと、
ＤＶＤに記録された映像音声情報をハードディスクドライブに転送して記録する転送制御手段と、
転送制御手段がＤＶＤからハードディスクドライブに転送して記録した映像音声情報を、所定の順序でもって、空きエリアを生じさせることなくＤＶＤに記録するデフラグ手段とを備えた情報記録再生装置において、
記録された映像音声情報の全てがハードディスクドライブに転送されたＤＶＤのフォーマットを行うフォーマット手段を備え、
デフラグ手段が映像音声情報を記録するＤＶＤを、フォーマット手段によってフォーマットされたＤＶＤとし、
転送制御手段がＤＶＤに記録された映像音声情報をハードディスクドライブに転送して記録する期間と、フォーマット手段がＤＶＤをフォーマットする期間と、デフラグ手段がハードディスクドライブに転送された映像音声情報をＤＶＤに記録する期間とにおいては、チューナ部から出力される映像音声情報を表示装置に出力して表示することを特徴とする情報記録再生装置。
【請求項２】
光ディスクを対象として映像音声情報の記録と再生とを行うディスクドライブと、
映像音声情報の記録と再生とを行う情報記録媒体と、
光ディスクに記録された映像音声情報を情報記録媒体に転送して記録する転送制御手段と、
転送制御手段が光ディスクから情報記録媒体に転送して記録した映像音声情報を、所定の順序でもって、空きエリアを生じさせることなく光ディスクに記録するデフラグ手段とを備えた情報記録再生装置において、
記録された映像音声情報の全てが情報記録媒体に転送された光ディスクのフォーマットを行うフォーマット手段を備え、
デフラグ手段が映像音声情報を記録する光ディスクを、フォーマット手段によってフォーマットされた光ディスクとしたことを特徴とする情報記録再生装置。
【請求項３】
商用放送を受信して得られた映像音声情報を出力するチューナ部を備え、
転送制御手段が光ディスクに記録された映像音声情報を情報記録媒体に転送して記録する期間と、フォーマット手段が光ディスクをフォーマットする期間と、デフラグ手段が情報記録媒体に転送された映像音声情報を光ディスクに記録する期間とにおいては、チューナ部から出力される映像音声情報を表示装置に出力して表示することを特徴とする請求項２に記載の情報記録再生装置。
【発明の詳細な説明】
【技術分野】
【０００１】
本発明は、情報記録媒体に転送しておいた映像音声情報を、所定の順序でもって、空きエリアを生じさせることなく光ディスクに記録するデフラグ手段を備えた情報記録再生装置に係り、より詳細には、デフラグ手段が映像音声情報を記録する光ディスクを、フォーマットされた光ディスクとした情報記録再生装置に関するものである。
【背景技術】
【０００２】
ＤＶＤに番組を記録した後、不要になった番組を消去することを繰り返していると、ＤＶＤに記録された番組は、不連続なエリアに分割して記録されたデータの集まりとなる。このため、再生を行うときには、多数回に渡るトラックジャンプが生じるので、光ピックアップを半径方向に移動させる機構部の劣化を速めるといったような、望ましくない事態を招く。また、不連続なエリアに分割して番組を記録する場合、書き込みエラーも多くなる。このため、不連続なエリアに分割して記録されているデータを、ひとつのエリアに連続して記録し直す技術が提案されている。
【０００３】
上記した技術のひとつに、以下に示す技術がある（第１の従来技術とする）。すなわち、曲１〜曲４の４つの曲が連続して記録された状態において、曲２を消去した後、曲２より記録時間が長い曲５を記録したとする。このときでは、媒体であるＭＤに記録された曲は、曲１、曲５の前部、曲３、曲４、曲５の後部、の順で並ぶことになる。従って、曲の番号に従って再生する場合（曲１、曲３、曲４、曲５の順で再生する場合）、ピックアップは、曲１の再生を終了した後には、曲３の先頭までトラックジャンプをして、曲３、曲４の再生を行う。そして後、曲５の先頭までトラックジャンプをして曲５の前部を再生し、再びトラックジャンプをして、曲５の後部の再生に移行することになる。
【０００４】
このような状態となる場合、『媒体に記録されている情報を数倍速で読み出し、メモリに格納する。例えば、ＭＤを４倍速で再生した場合、７４分のディスクは最高４分３０秒程度で読み出すことが可能である。そしてこの離散的に記録された情報はＭＤのＵ−ＴＯＣで管理され、この管理データに基づいて並び直しされる。従って読み出された情報は、その時点で既に所定の順序すなわち書き込み順になされているため読み出しが終わった後、今度はメモリからＭＤに書き込みを行えば書き込み順に記録を行うことが出来、再度再生するときピックアップの移動を格段に少なくすることが出来る』ことが開示されている。また、上記動作は、ＭＤに対して適用可能であるばかりでなく、ＨＤにも適用可能であることが開示されている（例えば、特許文献１参照）。
【０００５】
また、本願出願人により、以下に示す技術が提案されている（第２の従来技術とする）。すなわち、この技術では、例えば、Ａ、Ｂ、Ｃ、Ｄの４つの番組を記録した後、エリアＣに記録された番組Ｃを消去したとする。このような場合、番組Ｄをハードディスクドライブ（以下では、ＨＤＤと称する）に転送した後、ＨＤＤに転送した番組Ｄを、エリアＣの先頭から記録するようになっている。つまり、ＤＶＤ上においては、番組Ｂの記録の終了位置に続く形で、番組Ｄを記録し直している。また、この動作を、番組ＥをＨＤＤに記録する動作と並行して行っている。従って、番組Ｄを番組Ｂの後ろに続くように記録し直す動作は、ユーザが外部からみるときでは、意識されることのない動作となっている。また、ＨＤＤに記録された番組Ｅは、ＤＶＤにおいて、番組Ｄに続けて記録されることも開示されている（例えば、特許文献２参照）。
【０００６】
また、以下に示す技術が提案されている（第３の従来技術とする）。すなわち、この技術では、デフラグ再生モードとなるときには、ディスクから再生に必要な情報の読み出しを行っていない期間を利用して、ディスクに記録されている記録情報の再配置を行うことにより、分断されている記録情報を連続した記録情報にするデフラグを行っている。なお、このデフラグを行うときには、トラックバッファを介して記録情報の記録再生制御を行うとされている（例えば、特許文献３参照）。
【特許文献１】特開２００１−６３４５号公報
【特許文献２】特開２００４−３２６８８４号公報
【特許文献３】特開２００３−２９７０１３号公報
【発明の開示】
【発明が解決しようとする課題】
【０００７】
しかしながら、第１の従来技術を用いた場合には、以下に示す問題を生じていた。すなわち、『読み出された情報は、その時点で既に所定の順序（書き込み時に必要となる順序）で並んでいる。従って、読み出しが終了した後には、メモリに記録された情報は、メモリに並んだ順序でＭＤに書き込みされる』ようになっている。つまり、情報の記録エリアを連続させるため、情報を並び直して記録する場合、情報は上書きによって記録される。一方、情報をＤＶＤに記録する場合、フォーマットされたＤＶＤに新たに情報を記録する場合と、上書きによって情報を記録する場合とを比すると、フォーマットされたＤＶＤに新たに情報を記録する方が、上書きによって情報を記録するよりも、記録の信頼性が高くなることが知られている。つまり、並び直して記録された情報を、再生時においてエラーの生じにくい、信頼性の極めて高い情報にしようとする場合には、最適な記録方法にはなっていないという問題があった。
【０００８】
第２の従来技術においても、同様に、最初に見つかった空きエリアを含めて、この空きエリアより外周側に記録された情報は、上書きされた情報となる。このため、第１の従来技術において生じた問題と同じ問題を招くことになる。
【０００９】
第３の従来技術も、同様に、上書きによって情報を記録する。このため、第１の従来技術において生じた問題と同じ問題を招くことになる。
【００１０】
本発明は、上記の問題点を解決するため創案されたものであり、その目的は、デフラグされた映像音声情報を、再生時においてエラーの生じにくい、極めて信頼性の高い情報とすることのでき、且つ、デフラグのための動作がユーザに不快感を与えることを回避することのできる情報記録再生装置を提供することにある。
【００１１】
また本発明の目的は、情報記録媒体に転送された映像音声情報を、所定の順序でもって、空きエリアを生じさせることなく光ディスクに記録するデフラグ手段を備えた構成において、デフラグ手段が映像音声情報を記録する光ディスクを、フォーマットされた光ディスクとすることにより、デフラグされた映像音声情報を、再生時においてエラーの生じにくい、極めて信頼性の高い情報とすることのできる情報記録再生装置を提供することにある。
【００１２】
また、上記目的に加え、デフラグに必要となる動作を行う期間においては、受信した番組を表示装置に表示することにより、デフラグのための動作がユーザに不快感を与えることを回避することのできる情報記録再生装置を提供することにある。
【課題を解決するための手段】
【００１３】
上記の課題を解決するため、本発明に係る情報記録再生装置は、商用放送を受信して得られた映像音声情報を出力するチューナ部と、ＤＶＤを対象として映像音声情報の記録と再生とを行うディスクドライブと、映像音声情報の記録と再生とを行うハードディスクドライブと、ＤＶＤに記録された映像音声情報をハードディスクドライブに転送する転送制御手段と、転送制御手段がハードディスクドライブに転送した映像音声情報を、所定の順序でもって、空きエリアを生じさせることなくＤＶＤに記録するデフラグ手段とを備えた情報記録再生装置に適用している。そして、記録された映像音声情報の全てがハードディスクドライブに転送されたＤＶＤのフォーマットを行うフォーマット手段を備え、デフラグ手段が映像音声情報を記録するＤＶＤを、フォーマット手段によってフォーマットされたＤＶＤとし、転送制御手段がＤＶＤに記録された映像音声情報をハードディスクドライブに転送する期間と、フォーマット手段がＤＶＤをフォーマットする期間と、デフラグ手段がハードディスクドライブに転送された映像音声情報をＤＶＤに記録する期間とにおいては、チューナ部から出力される映像音声情報を表示装置に出力して表示するようになっている。
【００１４】
すなわち、デフラグ手段が映像音声情報を記録するとき、記録対象となるＤＶＤは、フォーマットされたＤＶＤとなっている。従って、デフラグ手段によって記録された映像音声情報は、既に記録されていた映像音声情報の影響を受けないため、再生時にエラーが生じにくい、極めて信頼性の高い情報となる。また、受信された番組を見ている期間においてデフラグが終了する。
【００１５】
また本発明に係る情報記録再生装置は、光ディスクを対象として映像音声情報の記録と再生とを行うディスクドライブと、映像音声情報の記録と再生とを行う情報記録媒体と、光ディスクに記録された映像音声情報を情報記録媒体に転送する転送制御手段と、転送制御手段が情報記録媒体に転送した映像音声情報を、所定の順序でもって、空きエリアを生じさせることなく光ディスクに記録するデフラグ手段とを備えた情報記録再生装置に適用している。そして、記録された映像音声情報の全てが情報記録媒体に転送された光ディスクのフォーマットを行うフォーマット手段を備えるとともに、デフラグ手段が映像音声情報を記録する光ディスクを、フォーマット手段によってフォーマットされた光ディスクとしている。
【００１６】
すなわち、デフラグ手段が映像音声情報を記録するとき、記録対象となる光ディスクは、フォーマットされた光ディスクとなっている。従って、デフラグ手段によって記録された映像音声情報は、既に記録されていた映像音声情報の影響を受けないため、再生時にエラーが生じにくい、極めて信頼性の高い情報となる。
【００１７】
また、上記構成に加え、商用放送を受信して得られた映像音声情報を出力するチューナ部を備え、転送制御手段が光ディスクに記録された映像音声情報を情報記録媒体に転送する期間と、フォーマット手段が光ディスクをフォーマットする期間と、デフラグ手段が情報記録媒体に転送された映像音声情報を光ディスクに記録する期間とにおいては、チューナ部から出力される映像音声情報を表示装置に出力して表示するようになっている。すなわち、受信された番組を見ている期間においてデフラグが終了する。
【発明の効果】
【００１８】
本発明によれば、デフラグ手段が映像音声情報を記録するとき、記録対象となるＤＶＤは、フォーマットされたＤＶＤとなっている。従って、デフラグ手段によって記録された映像音声情報は、既に記録されていた映像音声情報の影響を受けないため、再生時にエラーが生じにくい、極めて信頼性の高い情報となる。また、受信された番組を見ている期間においてデフラグが終了する。このため、デフラグされた映像音声情報を、再生時においてエラーの生じにくい、極めて信頼性の高い情報とすることができ、且つ、デフラグのための動作がユーザに不快感を与えることを回避することができる。
【００１９】
また本発明によれば、デフラグ手段が映像音声情報を記録するとき、記録対象となる光ディスクは、フォーマットされた光ディスクとなっている。従って、デフラグ手段によって記録された映像音声情報は、既に記録されていた映像音声情報の影響を受けないため、再生時にエラーが生じにくい、極めて信頼性の高い情報となる。このため、デフラグされた映像音声情報を、再生時においてエラーの生じにくい、極めて信頼性の高い情報とすることができる。
【００２０】
また、さらに、受信された番組を見ている期間においてデフラグが終了するので、デフラグのための動作がユーザに不快感を与えることを回避することができる。
【発明を実施するための最良の形態】
【００２１】
以下、本発明の実施の形態について図を参照して説明する。
【００２２】
図１は、本発明に係るディスク記録再生装置の一実施形態であるハードディスクドライブ一体型ＤＶＤレコーダの電気的構成を示すブロック線図である。
【００２３】
図において、チューナ部１は、マイクロコンピュータ（以下ではマイコンと称する）７から指示されたチャンネルの商用放送を受信する。そして、受信して得られた映像音声情報（アナログ方式の映像音声信号）をＡ／Ｄ変換部２に出力する。Ａ／Ｄ変換部２は、チューナ部１から出力される映像音声情報をＡ／Ｄ変換して得られた映像音声情報を信号処理部３に出力する。
【００２４】
ディスクドライブ５は、ＤＶＤ（請求項記載の光ディスクであり、ＤＶＤ−ＲＷやＤＶＤ−ＲＡＭ等）２１を対象として、映像音声情報の記録と再生とを行う。すなわち、信号処理部３より出力される圧縮された映像音声情報（以下では、単に映像音声情報と称する）を所定処理（８−１６変調等）して得られた信号をＤＶＤ２１に記録する。また、ＤＶＤ２１に記録された信号を読み出した後、所定処理（８−１６復調とエラー訂正）して得られた映像音声情報を信号処理部３に出力する。
【００２５】
ハードディスクドライブ（請求項記載の情報記録媒体であり、以下では、ＨＤＤと称する）６は、映像音声情報の記録と再生とを行う。すなわち、信号処理部３より出力される映像音声情報を内部に記録する。また、内部に記録した映像音声情報を再生して信号処理部３に出力する。Ｄ／Ａ変換部４は、信号処理部３より出力される伸長された映像音声情報を、アナログ方式の映像音声信号に変換し、外部に設けられたテレビ受像機（請求項記載の表示装置）２２に出力する。
【００２６】
信号処理部３は、エンコード部９を用いて、Ａ／Ｄ変換部２から出力される映像音声情報をＭＰＥＧ２方式（音声信号についてはＡＣ−３方式）によって圧縮処理した後、ストリーム合成を行うことによって得られた映像音声情報をディスクドライブ５やＨＤＤ６に出力する。また、ディスクドライブ５やＨＤＤ６から出力される映像音声情報を、ストリーム分離した後、デコード部１０を用いることによって、映像情報をＭＰＥＧ２方式（音声情報についてはＡＣ−３方式）で伸長処理する。そして、伸長処理により得られた映像音声情報をＤ／Ａ変換部４に出力する。
【００２７】
また、信号処理部３は、マイコン７からの指示に従い、ディスクドライブ５から出力される映像音声情報をＨＤＤ６に送出する。また、ＨＤＤ６から出力される映像音声情報をディスクドライブ５に送出する。また、バッファ１１を用いて、再生された映像音声情報を一時的に記憶し、記憶した映像音声情報を、外部から要求される速度で出力することによって、ＤＶＤ２１に記録された映像音声情報をテレビ受像機２２に表示するとき、表示が途切れないようにする。
【００２８】
入力回路部８は、図示されない装置本体の前面パネルに設けられた電源キーや録画キー等の複数のキースイッチ、および、リモートコントローラ（以下ではリモコンと称する）２３から送信される赤外線信号を受光する受光ユニット等を備えており、ユーザからの指示が入力される。また、入力されたユーザからの指示をマイコン７に出力する。
【００２９】
マイコン７は、ハードディスクドライブ一体型ＤＶＤレコーダとしての主要動作を制御する。すなわち、リモコン２３等に入力されたユーザの指示に従って、チューナ部１が受信するチャンネルを制御する。また、信号処理部３とディスクドライブ５とを制御することにより、ＤＶＤ２１に録画された番組を再生するとともに、受信した番組をＤＶＤ２１に録画する。また、信号処理部３とＨＤＤ６とを制御することによって、ＨＤＤ６に録画された番組を再生するとともに、受信した番組をＨＤＤ６に録画する。また、信号処理部３、ディスクドライブ５、および、ＨＤＤ６を制御することによって、ＤＶＤ２１に記録された番組をＨＤＤ６に転送して記録する。また、ＨＤＤ６に記録された番組をＤＶＤ２１にダビングする。
【００３０】
また、マイコン７は、その機能でもって、転送制御手段１２、デフラグ手段１３、フォーマット手段１４、および、受信制御手段１５を構成する。
【００３１】
転送制御手段１２は、ディスクドライブ５を制御することによって、ＤＶＤ２１に記録された映像音声情報を再生する。且つ、ＤＶＤ２１より再生された映像音声情報を、信号処理部３を介して、ＨＤＤ６に転送することにより、ＤＶＤ２１より再生された映像音声情報をＨＤＤ６に記録する。
【００３２】
デフラグ手段１３は、ディスクドライブ５、信号処理部３、ＨＤＤ６を制御することにより、転送制御手段１２によってＨＤＤ６に転送されて記録された映像音声情報を、所定の順序でもって、空きエリアを生じさせることなく、フォーマット手段１４によってフォーマットされたＤＶＤ２１に記録する（後に詳述する）。
【００３３】
フォーマット手段１４は、転送制御手段１２が、ＤＶＤ２１に記録された映像音声情報の全てをＨＤＤ６に転送して記録した後に、ディスクドライブ５を制御することでもって、記録された映像音声情報の全てがＨＤＤ６に転送されたＤＶＤ２１のフォーマットを行う。
【００３４】
受信制御手段１５は、転送制御手段１２がＤＶＤ２１から再生した映像音声情報をＨＤＤ６に転送して記録する期間と、フォーマット手段１４がＤＶＤ２１をフォーマットする期間と、デフラグ手段１３が映像音声情報を、所定の順序でもってＤＶＤ２１に記録する期間とにおいては、チューナ部１から出力される映像音声情報を、Ａ／Ｄ変換部２、信号処理部３、および、Ｄ／Ａ変換部４を介し、テレビ受像機２２に出力する。すなわち、受信した商用放送をテレビ受像機２２に表示する。
【００３５】
図２は、ＤＶＤ２１に記録された映像音声情報をデフラグするときの実施形態の主要動作を示すフローチャートである。必要に応じて同図を参照しつつ、実施形態の動作を説明する。
【００３６】
いま、ＤＶＤ２１には、図３（Ａ）に示したように、番組Ａ、番組Ｂの２つが、ＶＲモードによって記録されているとする。そして後、番組Ａおよび番組Ｂの双方の編集が行われ、コマーシャル部分や、その他の部分が消去されたとする。同図（Ａ）における５１〜５３，６１〜６６は、コマーシャル部分や、その他の部分が消去されたことにより生じた空きエリアを示している。なお、空きエリア５１〜５３のそれぞれは、ＸＰモードに換算して２分の広さのエリアとなっており、空きエリア６１〜６６のそれぞれは、ＸＰモードに換算して３０秒の広さのエリアとなっている。
【００３７】
ＤＶＤ２１が上記状態にあるときに、すなわち、映像音声情報がパーシャル記録された状態にあるときに、番組Ｃを記録すると、図３（Ｂ）に示したように、番組Ｃは、その始まりの部分が、空きエリア５１〜５３の広さに合わせて断片化され、空きエリア５１〜５３のそれぞれに記録される。そして、残る部分については、番組Ｂの後方に記録される。つまり、空きエリア６１〜６６については、その広さが、ＸＰモードに換算して３０秒であるため、番組Ｃが記録されることなく、空きエリアのままに放置される。
【００３８】
ここで、空きエリア６１〜６６が空きエリアのままに放置される理由について、図４を参照しつつ説明する。
【００３９】
番組が、ひとまとまりのデータとして、再生される順序で並んで記録されている場合では、再生の途中において、トラックジャンプ等を含むシーク動作の必要がない。しかし、番組が、断片化されたデータとして、散らばって記録されている場合では、断片化されたデータのひとつを再生した後には、次のデータの記録位置まで光ピックアップを移動させ、再び再生を行う必要がある。
【００４０】
つまり、データが断片化して記録されている場合では、データを連続的に再生することができず、データが再生されない期間（シーク期間）が生じる。その一方において、テレビ受像機２２に表示される画像については、表示を中断することが許されない。このため、ＤＶＤ２１からデータを再生するときには、テレビ受像機２２に画像を表示するために必要となるデータの消費速度よりは速い速度でデータを再生し、バッファ１１に格納している。
【００４１】
図４（Ａ）は、このときのバッファ１１内のデータ量の変化を示している。すなわち、ＤＶＤ２１からデータを再生している期間ｔ１には、再生速度の方が速いので、バッファ１１内のデータ量は増加する。そして、光ピックアップを半径方向に移動させるシーク期間ｔ２において、バッファ１１内のデータが消費される。従って、バッファ１１内に充分なデータが格納されている場合では、そのデータを表示のために消費することが可能な期間ｔ２内に、次のデータの再生が開始される。従って、画像は中断されることなく表示される。
【００４２】
しかし、バッファ１１内のデータ量が少ない場合では、図４（Ｂ）に示したように、シークが終了して、データの再生が再開される時刻Ｔ４より前の時刻Ｔ３において、バッファ１１内のデータが空になる。従って、このときでは、テレビ受像機２２における画像の表示が中断される。すなわち、再生からシークに移行するときには、バッファ１１内に充分な量のデータが格納されている必要がある。
【００４３】
一方、バッファ１１内に充分な量のデータを格納するためには、再生が継続する期間が必要であり、この期間がｔ１と長いときでは、バッファ１１内に充分な量のデータが格納されるが、この期間がｔ３と短いときでは、バッファ１１内のデータ量は不充分となる。従って、データを断片化してＤＶＤ２１に記録する場合、所定量より小さいデータに断片化することはできない。すなわち、空きエリアがあるとしても、その空きエリアの広さが、前記した所定量のデータの記録を可能にするだけの広さがない場合では、その空きエリアにデータを記録することはできない。
【００４４】
図３（Ａ）に示した空きエリア６１〜６６は、上記した所定量のデータを記録するだけの広さのないエリアとなっている。このため、空きエリア６１〜６６については、使用されることなく、空きのままに残されることになる。なお、実機においては、ＸＰモードにおいて、３５秒より長い量の映像音声情報を記録可能な空きエリアについてのみ、映像音声情報の記録を行い、３５秒以下の広さの空きエリア６１〜６６については、映像音声情報を記録しないようになっている。
【００４５】
いま、ＤＶＤ２１における映像音声情報の記録状態が、図３（Ｂ）に示した状態にあるとする。この状態において、リモコン２３を用いてデフラグの指示を入力すると（ステップＳ１）、受信制御手段１５は、チューナ部１から出力される映像音声情報を、Ａ／Ｄ変換部２、信号処理部３、Ｄ／Ａ変換部４を介し、テレビ受像機２２に出力する。すなわち、受信した番組をテレビ受像機２２に表示する（ステップＳ２）。
【００４６】
受信した番組をテレビ受像機２２に表示する動作を開始した後には、転送制御手段１２は、ディスクドライブ５、信号処理部３、ＨＤＤ６を制御することにより、ＤＶＤ２１に記録された全データをＨＤＤ６に転送する（ステップＳ３）。そして、ＤＶＤ２１に記録されたデータの全てをＨＤＤ６を転送する動作が終了すると、フォーマット手段１４は、ＤＶＤ２１のフォーマットを行う（ステップＳ４）。
【００４７】
フォーマットが終了した後には、デフラグ手段１３は、番組を単位として、記録された日付の順序で、且つ、各番組については、再生時のデータの順序でもって、ＨＤＤ６に転送された映像音声情報をＤＶＤ２１に記録する（ステップＳ５）。すなわち、図３（Ｃ）に示したように、ＤＶＤ２１のデータエリアに、空きエリアを生じることなく、且つ、再生時に読み出されるデータの順序でもって、番組Ａを記録する。そして、番組Ａの記録エリアに続くエリアから、番組Ｂを、同様の方法でもって記録する。また、番組Ｂの記録エリアに続くエリアから、番組Ｃを、同様の方法でもって記録する。
【００４８】
番組Ａ〜ＣをＤＶＤ２１に記録する動作を終了したときには、デフラグ終了のメッセージをテレビ受像機２２に表示する。そして後、ユーザから指示が入力されたときには、入力された指示に対応する動作に移行する（ステップＳ６）。
【００４９】
既に説明したように、ステップＳ５において、ＤＶＤ２１には、番組Ａ、番組Ｂ、番組Ｃが、空きエリアを生じることなく、それぞれがひとまとまりの映像音声情報として記録される（図３（Ｃ）参照）。従って、デフラグ以前において映像音声情報を記録可能であった空きエリア７１と、デフラグ後において映像音声情報を記録可能である空きエリア７２とを比較すると、映像音声情報の記録に使用できなかった空きエリア６１〜６６，・・・の分だけ、空きエリア７２の広さが大きくなっている。つまり、ＤＶＤ２１のデータエリアを、より有効に使用できるようになっている。
【００５０】
また、上記方法によってＤＶＤ２１に記録された映像音声情報は、フォーマットされたＤＶＤ２１に書き込みされた情報となっているので、上書きによって書き込みされた情報に比すると、再生時にエラーの生じにくい、極めて信頼性の高い情報となっている。
【００５１】
また、以後において、ＤＶＤ２１に、さらに番組を記録するときでは、空きエリア７２に、ひとまとまりのデータとして、映像音声情報を記録できるので、書き込みエラーが生じにくくなる。
【００５２】
なお、本発明は上記実施形態に限定されず、映像音声情報の記録に使用されない空きエリアについては、その広さが、ＸＰモードにおける記録時間に換算して、３５秒以下のエリアとした場合について説明したが、その他の広さとなるときにも、同様に適用することができる。
【００５３】
また、転送制御手段１２が、ＤＶＤ２１に記録された映像音声情報を転送して記録するときに使用する情報記録媒体については、ＨＤＤ６とした場合について説明したが、大容量のメモリとする場合にも、同様に適用することができる。
【図面の簡単な説明】
【００５４】
【図１】本発明に係るディスク記録再生装置の一実施形態であるハードディスクドライブ一体型ＤＶＤレコーダの電気的構成を示すブロック線図である。
【図２】デフラグ時の実施形態の主要動作を示すフローチャートである。
【図３】光ディスクに記録された映像音声情報の状態を示す説明図である。
【図４】光ディスクから再生された映像音声情報を記憶するバッファ内のデータ量の変化を示す説明図である。
【符号の説明】
【００５５】
１  チューナ部
５  ディスクドライブ
６  ハードディスクドライブ（情報記録媒体）
１２  転送制御手段
１３  デフラグ手段
１４  フォーマット手段
２１  ＤＶＤ（光ディスク）
２２  テレビ受像機（表示装置）
Ｓ３  ＤＶＤに記録された映像音声情報をハードディスクドライブに転送するステップ
Ｓ４  ＤＶＤをフォーマットするステップ
Ｓ５  ハードディスクドライブに転送された映像音声情報をＤＶＤに記録するステップ
【図１】
2006302404.tif 000003
【図２】
2006302404.tif 000004
【図３】
2006302404.tif 000005
【図４】
2006302404.tif 000006